(57)【特許請求の範囲】
【請求項１】
一次側に供給された交流を予め定めた電圧の直流に変換して二次側から出力して予め定めた機能部へ電力を供給する供給手段と、
前記供給手段の一次側の交流電流を検出することにより一次側皮相電力を測定する測定手段と、
前記一次側皮相電力に対応する、測定器で予め測定した前記供給手段の一次側消費電力を予め定めた対応関係に基づいて、前記測定手段によって測定した前記一次側皮相電力から前記一次側消費電力を求め、求めた前記一次側消費電力を積分または積算処理することにより電力量を算出して表示する表示手段と、
を備え、
前記表示手段は、省電力モードである場合、予め測定した一次側の損失の固定値を、測定した前記一次側皮相電力から差し引いて前記一次側消費電力を求める情報処理装置。
【請求項２】
前記損失の固定値は、前記測定手段の測定値を実効値に変換し、変換した実効値を前記表示手段に出力する実効値変換回路の損失を示す固定値である請求項１記載の情報処理装置。
【請求項３】
前記表示手段が、前記供給手段が前記機能部へ供給する電圧毎に予め定めた前記対応関係に基づいて、前記一次側皮相電力から前記一次側消費電力を求めて、前記電力量を算出して表示する請求項１又は請求項２に記載の情報処理装置。
【請求項４】
装置構成に応じて前記供給手段を複数備え、前記表示手段が、装置構成毎に予め定めた前記対応関係に基づいて、前記一次側皮相電力から前記一次側消費電力を求めて、前記電力量を算出して表示する請求項１又は請求項２に記載の情報処理装置。
【請求項５】
前記供給手段の力率要件が変化する複数のモードを有し、前記表示手段が、前記モード毎に予め定めた前記対応関係に基づいて、前記一次側皮相電力から前記一次側消費電力を求めて、前記電力量を算出して表示する請求項１又は請求項２に記載の情報処理装置。
【請求項６】
前記表示手段が、前記対応関係として前記一次側皮相電力を前記一次側消費電力に変換する変換テーブルを用いて、前記一次側皮相電力から前記一次側消費電力を求めて、前記電力量を算出して表示する請求項１〜５の何れか１項に記載の情報処理装置。
【請求項７】
前記表示手段が、前記対応関係として前記一次側皮相電力を前記一次側消費電力に近似する近似式を用いて、前記一次側皮相電力から前記一次側消費電力を求めて、前記電力量を算出して表示する請求項１〜５の何れか１項に記載の情報処理装置。
【請求項８】
一次側に供給された交流を予め定めた電圧の直流に変換して二次側から出力して予め定めた機能部へ電力を供給する供給手段の一次側の交流電流を検出することにより一次側皮相電力を測定する測定手段によって測定した前記一次側皮相電力を取得する取得ステップと、
前記一次側皮相電力に対応する、測定器で予め測定した前記供給手段の一次側消費電力を予め定めた対応関係に基づいて、前記取得ステップで取得した前記一次側皮相電力から前記一次側消費電力を求め、求めた前記一次側消費電力を積分または積算処理することにより電力量を算出して表示部に表示する表示ステップと、
を含む処理をコンピュータに実行させるための情報処理プログラムであって、
前記表示ステップは、省電力モードである場合、予め測定した一次側の損失の固定値を、測定した前記一次側皮相電力から差し引いて前記一次側消費電力を求める情報処理プログラム。
【請求項９】
前記損失の固定値は、前記測定手段の測定値を実効値に変換し、変換した実効値を前記表示部に出力する実効値変換回路の損失を示す固定値である請求項８記載の情報処理プログラム。
【請求項１０】
前記表示ステップが、前記供給手段が前記機能部へ供給する電圧毎に予め定めた前記対応関係に基づいて、前記一次側皮相電力から前記一次側消費電力を求めて、前記電力量を算出して表示する請求項８又は請求項９に記載の情報処理プログラム。
【請求項１１】
装置構成に応じて前記供給手段を複数有し、前記表示ステップが、装置構成毎に予め定めた前記対応関係に基づいて、前記一次側皮相電力から前記一次側消費電力を求めて、前記電力量を算出して表示する請求項８又は請求項９に記載の情報処理プログラム。
【請求項１２】
前記供給手段の力率要件が変化する複数のモードを有し、前記表示ステップが、前記モード毎に予め定めた前記対応関係に基づいて、前記一次側皮相電力から前記一次側消費電力を求めて、前記電力量を算出して表示する請求項８又は請求項９に記載の情報処理プログラム。
【請求項１３】
前記表示ステップが、前記対応関係として前記一次側皮相電力から前記一次側消費電力に変換する変換テーブルを用いて、前記一次側皮相電力から前記一次側消費電力を求めて、前記電力量を算出して表示する請求項８〜１２の何れか１項に記載の情報処理プログラム。
【請求項１４】
前記表示ステップが、前記対応関係として前記一次側皮相電力から前記一次側消費電力に近似する近似式を用いて、前記一次側皮相電力から前記一次側消費電力を求めて、前記電力量を算出して表示する請求項８〜１２の何れか１項に記載の情報処理プログラム。
【発明の詳細な説明】
【技術分野】
【０００１】
本発明は、情報処理装置及び情報処理プログラムに関する。
【背景技術】
【０００２】
特許文献１に記載の技術では、コピーモードやプリントモード等の複数のモードを備えた画像形成装置において、各動作モード毎の動作時間を計時して時間データとして記憶しておき、該計時された時間データと各モード毎の目安の消費電力とに基づき、各動作モード毎の消費電力を算出してログ情報を作成することが提案されている。
【先行技術文献】
【特許文献】
【０００３】
【特許文献１】特開２００４−３３０６３９号公報
【発明の概要】
【発明が解決しようとする課題】
【０００４】
本発明は、安価でかつ低消費電力な構成で実際の消費電力を正確に表示することを目的とする。
【課題を解決するための手段】
【０００５】
請求項１に記載の情報処理装置は、一次側に供給された交流を予め定めた電圧の直流に変換して二次側から出力して予め定めた機能部へ電力を供給する供給手段と、前記供給手段の一次側の交流電流を検出することにより一次側皮相電力を測定する測定手段と、前記一次側皮相電力に対応する、測定器で予め測定した前記供給手段の一次側消費電力を予め定めた対応関係に基づいて、前記測定手段によって測定した前記一次側皮相電力から前記一次側消費電力を求め、求めた前記一次側消費電力を積分または積算処理することにより電力量を算出して表示する表示手段と、を備え、前記表示手段が、省電力モードである場合、予め測定した一次側の損失の固定値を、測定した前記一次側皮相電力から差し引いて前記一次側消費電力を求めることを特徴としている。
請求項２に記載の発明は、請求項１に記載の発明において、前記損失の固定値が、前記測定手段の測定値を実効値に変換し、変換した実効値を前記表示手段に出力する実効値変換回路の損失を示す固定値であることを特徴としている。
【０００６】
請求項３に記載の発明は、請求項１又は請求項２に記載の発明において、前記表示手段が、前記供給手段が前記機能部へ供給する２次側出力毎に予め定めた前記対応関係に基づいて、前記一次側皮相電力から前記一次側消費電力を求めて、前記電力量を算出して表示することを特徴としている。
【０００７】
請求項４に記載の発明は、請求項１又は請求項２に記載の発明において、装置構成に応じて前記供給手段を複数備え、前記表示手段が、装置構成毎に予め定めた前記対応関係に基づいて、前記一次側皮相電力から前記一次側消費電力を求めて、前記電力量を算出して表示することを特徴としている。
【０００８】
請求項５に記載の発明は、請求項１又は請求項２に記載の発明において、前記供給手段の力率要件が変化する複数のモードを有し、前記表示手段が、前記モード毎に予め定めた前記対応関係に基づいて、前記一次側皮相電力から前記一次側消費電力を求めて、前記電力量を算出して表示することを特徴としている。
【０００９】
請求項６に記載の発明は、請求項１〜５の何れか１項に記載の発明において、前記表示手段が、前記対応関係として前記一次側皮相電力を前記一次側消費電力に変換する変換テーブルを用いて、前記一次側皮相電力から前記一次側消費電力を求めて、前記電力量を算出して表示することを特徴としている。
【００１０】
請求項７に記載の発明は、請求項１〜５の何れか１項に記載の発明において、前記表示手段が、前記対応関係として前記一次側皮相電力を前記一次側消費電力に近似する近似式を用いて、前記一次側皮相電力から前記一次側消費電力を求めて、前記電力量を算出して表示することを特徴としている。
【００１１】
請求項８に記載の情報処理プログラムは、一次側に供給された交流を予め定めた電圧の直流に変換して二次側から出力して予め定めた機能部へ電力を供給する供給手段の一次側の交流電流を検出することにより一次側皮相電力を測定する測定手段によって測定した前記一次側皮相電力を取得する取得ステップと、前記一次側皮相電力に対応する、測定器で予め測定した前記供給手段の一次側消費電力を予め定めた対応関係に基づいて、前記取得ステップで取得した前記一次側皮相電力から前記一次側消費電力を求め、求めた前記一次側消費電力を積分または積算処理することにより電力量を算出して表示部に表示する表示ステップと、を含む処理であって、前記表示ステップが、省電力モードである場合、予め測定した一次側の損失の固定値を、測定した前記一次側皮相電力から差し引いて前記一次側消費電力を求める処理をコンピュータに実行させることを特徴としている。
請求項９に記載の発明は、請求項８に記載の発明において、前記損失の固定値が、前記測定手段の測定値を実効値に変換し、変換した実効値を前記表示部に出力する実効値変換回路の損失を示す固定値であることを特徴としている。
【００１２】
請求項１０に記載の発明は、請求項８又は請求項９に記載の発明において、前記表示ステップが、前記供給手段が前記機能部へ供給する電圧毎に予め定めた前記対応関係に基づいて、前記一次側皮相電力から前記一次側消費電力を求めて、前記電力量を算出して表示することを特徴としている。
【００１３】
請求項１１に記載の発明は、請求項８又は請求項９に記載の発明において、装置構成に応じて前記供給手段を複数有し、前記表示ステップが、装置構成毎に予め定めた前記対応関係に基づいて、前記一次側皮相電力から前記一次側消費電力を求めて、前記電力量を算出して表示することを特徴としている。
【００１４】
請求項１２に記載の発明は、請求項８又は請求項９に記載の発明において、前記供給手段の力率要件が変化する複数のモードを有し、前記表示ステップが、前記モード毎に予め定めた前記対応関係に基づいて、前記一次側皮相電力から前記一次側消費電力を求めて、前記電力量を算出して表示することを特徴としている。
【００１５】
請求項１３に記載の発明は、請求項８〜１２の何れか１項に記載の発明において、前記表示ステップが、前記対応関係として前記一次側皮相電力から前記一次側消費電力に変換する変換テーブルを用いて、前記一次側皮相電力から前記一次側消費電力を求めて、前記電力量を算出して表示することを特徴としている。
【００１６】
請求項１４に記載の発明は、請求項８〜１２の何れか１項に記載の発明において、前記表示ステップが、前記対応関係として前記一次側皮相電力から前記一次側消費電力に近似する近似式を用いて、前記一次側皮相電力から前記一次側消費電力を求めて、前記電力量を算出して表示することを特徴としている。
【発明の効果】
【００１７】
請求項１に記載の情報処理装置によれば、交流側の一次側皮相電力に対応する測定器で予め測定した直流側の一次側消費電力を予め定めた対応関係に基づいて、一次側皮相電力から一次側消費電力を求めて電力量を算出する構成を有していない場合に比して、安価な構成でかつわずかな消費電力で、実際の消費電力を正確に表示することができる、という効果がある。
【００１８】
請求項３に記載の情報処理装置によれば、供給する２次側出力が電圧毎に変化しても実際の消費電力を正確に表示することができる、という効果がある。
【００１９】
請求項４に記載の情報処理装置によれば、装置構成が変化しても実際の消費電力を正確に表示することができる、という効果がある。
【００２０】
請求項５に記載の情報処理装置によれば、モードが遷移しても実際の消費電力を正確に表示することができる、という効果がある。
【００２１】
請求項６に記載の情報処理装置によれば、変換テーブルを用いない場合に比して、電力量を算出して表示する時間を短縮することができる、という効果がある。
【００２２】
請求項７に記載の情報処理装置によれば、近似式を用いない場合に比して、電力量を容易に算出して表示することができる、という効果がある。
【００２３】
請求項７に記載の情報処理プログラムによれば、交流側の一次側皮相電力に対応する測定器で予め測定した直流側の一次側消費電力を予め定めた対応関係に基づいて、一次側皮相電力から一次側消費電力を求めて電力量を算出する構成を有していない場合に比して、安価な構成でわずかな消費電力で、実際の消費電力を正確に表示することができる、という効果がある。
【００２４】
請求項１０に記載の情報処理プログラムによれば、供給する２次側出力が電圧毎に変化しても実際の消費電力を正確に表示する、という効果がある。
【００２５】
請求項１１に記載の情報処理プログラムによれば、装置構成が変化しても実際の消費電力を正確に表示することができる、という効果がある。
【００２６】
請求項１２に記載の情報処理プログラムによれば、モードが遷移しても実際の消費電力を正確に表示することができる、という効果がある。
【００２７】
請求項１３に記載の情報処理プログラムによれば、変換テーブルを用いない場合に比して、電力量を算出して表示する時間を短縮することができる、という効果がある。
【００２８】
請求項１４に記載の情報処理プログラムによれば、近似式を用いない場合に比して、電力量を容易に算出して表示することができる、という効果がある。
【図面の簡単な説明】
【００２９】
【図１】本発明の実施の形態に係わる画像形成装置の概略構成を示す図である。
【図２】本発明の実施の形態に係わる画像形成装置の電力供給系の構成を示すブロック図である。
【図３】本発明の実施の形態に係わる画像形成装置における操作表示部の消費電力を表示させるための構成例を示すブロック図である。
【図４】（Ａ）は一次側皮相電力と一次側消費電力の対応関係の一例を示すテーブルを示す図であり、（Ｂ）は構成毎の低電源供給部の稼働数や稼働負荷を示す図である。
【図５】本発明の実施の形態に係わる画像形成装置の操作表示部で行われる消費電力の表示処理の流れの一例を示すフローチャートである。
【発明を実施するための形態】
【００３０】
以下、図面を参照して本発明の実施の形態の一例を詳細に説明する。図１は、本発明の実施の形態に係わる画像形成装置１０の概略構成を示す図である。
【００３１】
本発明の実施の形態に係わる画像形成装置１０は、図１に示すように、メインコントローラ１８を含んで構成されている。
【００３２】
メインコントローラ１８は、ＣＰＵ（Csentral Processing Unit）１８Ａ、ＲＯＭ（Read Only Memory）１８Ｂ、ＲＡＭ（Random Access Memory）１８Ｃ、不揮発性メモリ１８Ｄ、及び入出力インタフェース（Ｉ／Ｏ）１８Ｅがバス１８Ｆを介して各々接続されている。
【００３３】
Ｉ／Ｏ１８Ｅには、操作表示部２０、画像読取部２２、画像形成部２４、用紙供給部２６、用紙排出部２８、電話回線インターフェース（Ｉ／Ｆ）３０、ネットワークインターフェース（Ｉ／Ｆ）３２、ハードディスク３４、及び省電力制御装置３６の各機能部が接続されている。
【００３４】
操作表示部２０は、例えば、コピー開始等を指示するためのスタートボタンやテンキー等の各種ボタン、コピー濃度などの画像形成条件等の処理内容を設定するための設定画面や装置の状態等の各種画面を表示するためのタッチパネル等を含んで構成されている。
【００３５】
画像読取部２２は、ラインＣＣＤ等の画像読取センサや当該画像読取りセンサを走査するための走査機構や原稿を読取位置へ移動するための移動機構等を含んで構成され、装置にセットされた原稿の画像を読み取る。なお、画像読取部２２は、移動機構によって原稿を読取位置へ移動して読み取る自動読取と、原稿読取位置へ利用者が原稿をセットして読み取る手動読取と、が可能とされている。
【００３６】
画像形成部２４は、例えば所謂電子写真方式により記録媒体上に画像を形成するものである。具体的には、画像形成部２４は、感光体ドラムを帯電するための帯電装置、帯電された感光体ドラム上へ画像に応じた光を露光することにより感光体ドラム上に画像に応じた静電潜像を形成する露光装置、感光体ドラム上に形成された静電潜像をトナー現像する現像装置、感光体ドラム上に形成された画像に応じたトナー像を記録媒体に転写する転写装置、記録媒体に転写された画像に応じたトナー像を定着する定着装置、画像形成するための画像情報を処理するための画像形成情報処理部等を含んで構成される。なお、露光装置としては、半導体レーザや回転多面鏡、コリメータレンズやシリンドリカルレンズ、ｆθレンズ等の光学系を含んで構成された光走査装置、複数のＬＥＤから成るＬＥＤヘッド等を適用することができる。また、画像形成部２４は、電子写真方式に限らず、インクジェット記録方式により記録媒体上に画像を形成するものを適用するようにしてもよい。
【００３７】
用紙供給部２６は、記録用紙が収容される用紙収容部や、用紙収容部から画像形成部２４へ記録用紙供給する供給機構等を含んで構成される。なお、用紙収納部は、記録用紙の種類の異なる記録用紙を収納するために複数備え、供給機構も用紙収納部に対応して複数備える。
【００３８】
用紙排出部２８は、記録用紙に対して、ステープル処理や穴あけ処理等の後処理を行うフィニッシャー、記録用紙が排出される排出部、画像形成部２４で画像形成された記録用紙をフィニッシャーや排出部上に排出させるための排出機構等を含んで構成される。
【００３９】
電話回線Ｉ／Ｆ３０は、図示しない電話回線を介して接続された他の画像形成装置とファクシミリ通信を行うためのインターフェースである。
【００４０】
ネットワークＩ／Ｆ３２は、ネットワーク等の通信手段を介してホストコンピュータ等の他の装置とデータ通信するためのインターフェースである。
【００４１】
ハードディスク３４は、例えば装置の各部の状態や稼働状況等のログデータ、コピーやファクシミリ通信、プリント等の処理結果のログデータ、各種の設定データ、制御プログラム等が記憶される。
【００４２】
省電力制御装置３６は、操作表示部２０によって実行が指示された処理内容に応じて電力供給部３８を制御して、処理内容を実行するために必要な各機能部へ供給する電力を制御する。
【００４３】
電力供給部３８は、省電力制御装置３６の制御に従って、メインコントローラ１８や操作表示部２０、画像読取部２２、用紙供給部２６の供給機構、用紙排出部２８の排出機構、用紙排出部２８のフィニッシャー、排出機構等の各機能部への電力供給をオンオフする。
【００４４】
すなわち、本実施の形態の画像形成装置１０では、必要な機能部のみに電力を供給し、不必要な機能部については節電するように省電力制御装置３６が電力供給部３８を制御する。例えば、プリント処理の場合、画像読取部２２に電力供給する必要はなく、その分電力が節約される。また、コピー処理の場合においても、例えば、操作表示部２０による操作でコピー開始を指示した後にコピー動作へ移行したときに操作表示部２０の表示等を停止するようにすれば、その分電力が節約される。
【００４５】
このように、画像形成処理の種類によっては、全ての機能部へ電力を供給する必要はなく、必要のない部分への電力供給を停止することで部分的に節電される。
【００４６】
図２は、本発明の実施の形態に係わる画像形成装置１０の電力供給系の構成を示すブロック図である。
【００４７】
上述した電力供給部３８は、具体的には、図２に示すように、それぞれ供給する電圧が異なる複数の低電源供給部１４Ａ、１４Ｂを有し、各低電源供給部１４Ａ、１４Ｂは交流電源を直流電源に変換して各機能部へ電力を供給する。図２では、２つの低電源供給部１４Ａ、１４Ｂを一例として示すが、２つに限るものではなく、各機能部の定格電圧等に応じて電圧の直流電源に変更するものを備えている。
【００４８】
各低電源供給部１４Ａ、１４Ｂは、スイッチング素子等を含んで構成され、スイッチング素子をオンオフすることによって、商用電源から得られる交流電源を予め定めた電圧の直流電源に変換して各機能部へ電力を供給する。低電源供給部１４Ａ、１４Ｂは、例えば、スイッチング素子のオンオフによりデューティ制御することにより予め定めた電圧の直流電源に変換して電力を各機能部へ供給する。
【００４９】
図２では、低電源供給部１４Ａには、画像読取部２２が接続されて、予め定めた電圧の直流電源に交流電源を変換して画像読取部２２に電力を供給し、低電源供給部１４Ｂには、画像形成部２４（本実施の形態では画像形成部２４における画像情報を処理する部分）、メインコントローラ１８、及び省電力制御装置３６が接続されて、低電源供給部１４Ａとは異なる予め定めた電圧の直流電源に交流電源を変換して、画像形成部２４、メインコントローラ１８、及び省電力制御装置３６へ電力を供給する。なお、その他の機能部（用紙供給部２６、用紙排出部２８、電話回線Ｉ／Ｆ３０、ネットワークＩ／Ｆ３２、ハードディスク３４、省電力制御装置３６等）へ電力を供給する低電源供給部については、省略して説明する。
【００５０】
また、商用電源と各低電源供給部１４Ａ、１４Ｂとの間には、電力を測定するための電流トランス１２が接続されている。電流トランス１２は、実効値変換回路１６を介して操作表示部２０に接続されており、実効値変換回路１６によって電流トランス１２から得られる電流及び電圧が実効値に変換される。そして、操作表示部２０は、実効値変換回路１６から得られるアナログ信号をＡ／Ｄ変換して消費電力を求めて電力量を算出し、算出した消費電力を操作表示部２０に表示する機能を備えている。
【００５１】
ここで、操作表示部２０の消費電力を表示させるための構成について説明する。図３は、本発明の実施の形態に係わる画像形成装置１０における操作表示部２０の消費電力を表示させるための構成例を示すブロック図である。
【００５２】
操作表示部２０は、図３に示すように、Ａ／Ｄ変換部４０、消費電力算出部４２、電力変換部４４、及び表示部４６を含んで構成されている。
【００５３】
実効値変換回路１６は、Ａ／Ｄ（アナログ／デジタル）変換部４０に接続されており、電流トランス１２から得られる電流及び電圧が実効値に変換されてＡ／Ｄ変換部４０に出力され、実効値変換回路１６から出力されるアナログ信号は、Ａ／Ｄ変換部４０によってデジタル信号に変換される。
【００５４】
Ａ／Ｄ変換部４０は、消費電力算出部４２に接続されており、消費電力算出部４２では、デジタル信号に変換された実効値電流と実効値電圧とから消費電力が算出される。
【００５５】
しかしながら、このように交流側の一次側の電流から皮相電力を実測する場合には、電流と電圧しか分らないので、スイッチング素子等を含む低電源供給部１４Ａ、１４Ｂ等の力率が考慮されず、正確な消費電力が算出できない。また、二次側で消費電力を測定することも考えられるが、一次側回路のノイズフィルタ等による損失や消費電力が分らない。
【００５６】
そこで、本実施の形態では、画像形成装置１０の状態（例えば、コピーモード、ファックスモード、スキャンモード等の稼働モードやスリープモード、或いは機能部へ供給する電圧や、装置構成等）毎に、一次側皮相電力に対応する一次側消費電力を電力計等の測定器を用いて予め測定し、一次側皮相電力に対応する一次側消費電力の対応関係を求めておき、当該対応関係を電力変換部４４に予め記憶する。記憶する対応関係としては、例えば、変換テーブルや近似式として記憶する。
【００５７】
そして、消費電力算出部４２では、Ａ／Ｄ変換部４０によってデジタル信号に変換された実効値電流と実効値電圧とから求めた一次側皮相電力を、電力変換部４４に記憶された変換テーブルや近似式等の対応関係を用いて一次側消費電力を求める。この時画像形成装置１０の状態毎に対応関係が記憶されているので、画像形成装置１０の状態を取得して状態に応じた対応関係を用いて一次側皮相電力に対応する一次側消費電力を求めて、積分または積算処理することにより電力量を算出し、算出結果を表示部４６に表示するようになっている。
【００５８】
なお、本実施の形態では、画像形成装置１０の状態毎に低電源供給部１４Ａ、１４Ｂ等の力率が変化するので、停電源供給部の負荷状態毎に対応関係を予め求めて記憶し、画像形成装置１０の状態毎に対応関係を読み出して使用するようにしたが、状態毎ではなく、力率が変化する力率要件毎に対応関係を予め求めて記憶すればよいので、例えば、力率が変化する要件として、停電源供給部１４Ａ、１４Ｂの供給電圧ごとの負荷が変化する毎、画像形成装置１０の構成要件が変化（例えば、フィニッシャーの使用有無等）する毎などが挙げられ、これらが要件毎に対応関係を予め求めて記憶し、各要件毎に対応する対応関係を読み出して使用するようにしてもよい。
【００５９】
ここで、一次側皮相電力と一次側消費電力の対応関係について具体的に説明する。図４（Ａ）は、一次側皮相電力と一次側消費電力の対応関係の一例を示すテーブルを示す図である。
【００６０】
一次側皮相電力と一次側消費電力の対応関係としては、図４（Ａ）に示すように、一次側皮相電力（実効値）に対して、各状態（稼働モードやスリープモード）毎に電力計等を用いて測定した一次側消費電力の測定値を予め定めて記憶しておくことにより、一次側皮相電力から画像形成装置１０の状態に応じた一次側消費電力を読み出すことで正確な一次側消費電力が算出される。
【００６１】
各状態では、稼働する機能部がそれぞれ異なるので、構成毎に一次側消費電力を測定して実効値に対応して記憶する。なお、各構成は、例えば、コピー、ファックス通信、スキャン等の機能や、スリープモード等のモード毎に稼働する低電源供給部１４Ａ、１４Ｂや負荷が異なり、図４（Ｂ）に示すように、構成毎に稼働する低電源供給部や稼働する負荷が予め決定されている。
【００６２】
なお、図４（Ａ）では、一次側皮相電力と一次側消費電力の対応関係を変換テーブルとして保持する例を示すが、近似式を用いるようにしてもよい。すなわち、画像形成装置１０の状態毎に測定した一次側皮相電力と一次側消費電力の測定値から近似式を予め求めて保持することにより、画像形成装置１０の状態に対応する近似式を利用して一次側皮相電力から一次側消費電力が算出される。
【００６３】
続いて、上述のように構成された本発明の実施の形態に係わる画像形成装置１０の消費電力の表示に係わる処理の流れについて説明する。図５は、本発明の実施の形態に係わる画像形成装置１０の操作表示部２０で行われる消費電力の表示処理の流れの一例を示すフローチャートである。なお、当該処理は、操作表示部２０のハードウエアで行われる処理としてもよいし、コンピュータで実行するプログラムとしてもよい。また、当該処理は、操作表示部２０が操作されて消費電力の表示が指示された場合に開始してもよいし、操作表示部２０の表示が行われてる間に行うようにしてもよい。
【００６４】
ステップ１００では、実効値がサンプリングされてステップ１０２へ移行する。すなわち、商用電源から各低電源供給部１４Ａ、１４Ｂに電力が供給されると、電流トランス１２から実効値変換回路へと電流が流れ、実効値変換回路１６によって実効値電流及び実効値電圧に変換されて実効値電流及び実効値電圧を表すアナログ信号がＡ／Ｄ変換部４０に入力される。そして、Ａ／Ｄ変換部４０によってデジタル信号に変換することによって、実効値電流及び実効値電圧をサンプルリングする。
【００６５】
ステップ１０２では、サンプリングした実効値から一次側皮相電力が消費電力算出部４２によって算出されてステップ１０４へ移行する。すなわち、消費電力算出部４２が実効値電流と実効値電圧を積算して皮相電力を算出する。
【００６６】
ステップ１０４では、状態情報が電力変換部４４によって取得されてステップ１０６へ移行する。例えば、電力変換部４４が、画像形成装置１０の現在のモード等の状態情報をメインコントローラ１８から取得する。
【００６７】
ステップ１０６では、取得した状態に応じて一次側消費電力が消費電力算出部４２によって算出されてステップ１０８へ移行する。すなわち、ステップ１０４で取得した状態情報、及びステップ１０２で算出した一次側皮相電力に対応する一次側消費電力を算出する。具体的には、変換テーブルを用いる場合には、図４（Ａ）に示す変換テーブルから一次側皮相電力（実効値）及び取得した状態情報（モードや構成等）に対応する一次側消費電力を読み出すことにより、一次側消費電力を算出する。なお、省エネ等により二次側が停止している場合には、実効値変換回路１６等による損失があるため、予め測定した一次側の損失の固定値を電流トランス１２によって測定した測定値から差し引いた消費電力を求めて、当該消費電力に対応する一次側消費電力を算出する。
【００６８】
ステップ１０８では、算出した消費電力が消費電力算出部４２によって累積されてステップ１１０へ移行する。すなわち、算出された一次側消費電力を積分処理（サンプリング時間で積分）することによって電力量を算出する。なお、サンプリングして算出した二次側消費電力を積算処理することによって電力量を算出するようにしてもよい。
【００６９】
ステップ１１０では、電力値が表示部４６に表示されてステップ１１２へ移行する。すなわち、予め定めた一次側皮相電力と一次側消費電力の対応関係を用いて、一次側皮相電力から求めた一次側消費電力の電力量が表示部４６に表示される。従って、一次側皮相電力と一次側消費電力の予め定めた対応関係から一次側消費電力を求めているので、低電源供給部１４Ａ、１４Ｂ等の力率を考慮した正確な消費電力が表示される。なお、算出した消費電力の電力量は、ログ情報としてメインコントローラ１８の不揮発性メモリ１８Ｄ等の各種記憶媒体に記憶して電力量の変化と共に更新する。
【００７０】
ステップ１１２では、電力表示が終了か否かが判定される。該判定は、例えば、操作表示部２０が操作されて他の表示を行う指示等が行われたか否かを判定し、該判定が否定された場合にはステップ１００に戻って上述の処理が繰り返され、判定が肯定されたところで一連の処理を終了する。
【００７１】
すなわち、本実施の形態では、消費電力を操作表示部２０に表示する際には、一次側皮相電力に対応する一次側消費電力を予め定めた対応関係を用いて、一次側消費電力を求めて電力量を算出して表示するので、低電源供給部１４Ａ、１４Ｂ等の力率を考慮した消費電力が表示されるので、実際の正確な消費電力が表示される。
【００７２】
また、一次側皮相電力を電流トランス１２を用いて測定するので、安価かつわずかな電力で簡易な構成で正確な消費電力が表示されると共に、電力測定による消費電力も抑制される。
【００７３】
なお、上記の実施の形態では、画像形成装置１０を例に挙げて説明したが、これに限るものではなく、各種情報処理装置を適用して、上記の実施の形態で説明したように消費電力を求めて表示するようにしてもよい。
【符号の説明】
【００７４】
１０    画像形成装置
１２    電流トランス
１４Ａ、１４Ｂ    低電源供給部
１６    実効値変換回路
２０    操作表示部
２２    画像読取部
２４    画像形成部
２６    用紙供給部
２８    用紙排出部
３０    電話回線Ｉ／Ｆ
３２    ネットワークＩ／Ｆ
３４    ハードディスク
３６    省電力制御装置
３８    電力供給部
４０    Ａ／Ｄ変換部
４２    消費電力算出部
４４    電力変換部
４６    表示部
【図１】
0005747462.tif 000002
【図２】
0005747462.tif 000003
【図３】
0005747462.tif 000004
【図４】
0005747462.tif 000005
【図５】
0005747462.tif 000006